(57)【要約】【課題】本発明の課題は、全ての切り起こしを有効に働かせて、大きな伝熱促進効果が得られるフィンチューブ型熱交換器を搭載した空気調和装置を提供することにある。【解決手段】フィンチューブ型熱交換器は、第１領域Ｒ１を第１方向Ｄ１に、第２領域Ｒ２を第１方向とは異なる第２方向Ｄ２に気流が通過するフィンチューブ型熱交換器であって、伝熱フィン２と、伝熱管３とを備える。伝熱フィンには、複数の第１切り起こし部２１ａ〜２１ｆと、複数の第２切り起こし部２５ａ〜２５ｆとが、切り起こし加工により形成される。複数の第１切り起こしを仮想的に結ぶ第１直線Ｌ１，Ｌ２は、第１領域を流れる気流が第１伝熱管群の第１方向後側に案内されるように、第１方向に対して傾斜している。複数の第２切り起こしを仮想的に結ぶ第２直線Ｌ５，Ｌ６は、第２領域を流れる気流が第２伝熱管群の第２方向後側に案内されるように、第２方向に対して傾斜している。【選択図】図４
2008232448.tif 000002
【特許請求の範囲】
【請求項１】
第１領域（Ｒ１）を第１方向（Ｄ１）に、第２領域（Ｒ２）を前記第１方向とは異なる第２方向（Ｄ２）に気流が通過するフィンチューブ型熱交換器であって、
前記気流中に配置された伝熱フィン（２）と、
前記伝熱フィンに挿入されており、前記気流の流れ方向に交差する方向に伝熱管列を形成して配置される複数の伝熱管（３）と、
を備え、
前記伝熱フィンには、前記第１領域における前記伝熱管の前記伝熱管列の列方向の両側で前記気流の流れ方向上流側から下流側に向かって真っ直ぐに並ぶ複数の第１切り起こし部（２１ａ〜２１ｆ）と、前記第２領域における前記伝熱管の前記伝熱管列の列方向の両側で前記気流の流れ方向上流側から下流側に向かって真っ直ぐに並ぶ複数の第２切り起こし部（２５ａ〜２５ｆ）とが、切り起こし加工により形成されており、
前記複数の第１切り起こしを仮想的に結ぶ第１直線（Ｌ１，Ｌ２）は、前記第１領域に属する第１伝熱管群近傍を流れる前記気流が前記第１伝熱管群の前記第１方向後側に案内されるように、前記第１方向に対して傾斜しており、
前記複数の第２切り起こしを仮想的に結ぶ第２直線（Ｌ５，Ｌ６）は、前記第２領域に属する第２伝熱管群近傍を流れる前記気流が前記第２伝熱管群の前記第２方向後側に案内されるように、前記第２方向に対して傾斜している、
フィンチューブ型熱交換器（１）。
【請求項２】
前記複数の伝熱管は、鉛直方向に並んで伝熱管列を形成しており、
前記第１領域は、鉛直方向上部および下部であり、
前記第２領域は、鉛直方向中央部であり、
前記第１方向は、水平方向と平行であり、
前記第２方向は、前記第１方向から斜め上に第１角度（θ１）傾いている、
請求項１に記載のフィンチューブ型熱交換器。
【請求項３】
請求項２に記載のフィンチューブ型熱交換器と、
前記気流を生成する送風機と、
前記フィンチューブ型熱交換器と前記送風機とを収納する略直方体のケーシングと、
を備え、
前記ケーシングは、その側面に配置され、前記気流を前記ケーシング内に取り入れる吸込口と、その上面に配置され、前記ケーシング内から前記気流を放出する吹出口とを有し、
前記フィンチューブ型熱交換器は、前記吸込口の内側に配置され、
前記送風機は、前記吸込口から取り入れて前記フィンチューブ型熱交換器により熱交換された前記気流を前記吹出口から上側に吹き出す、
空気調和装置。
【請求項４】
前記複数の伝熱管は、鉛直方向に並んで伝熱管列を形成しており、
前記第１領域は、前記伝熱管列の列方向上部および下部であり、
前記第２領域は、前記伝熱管列の列方向中央部であり、
前記第１方向は、水平方向と平行であり、
前記第２方向は、前記第１方向から斜め下に第２角度（θ２）傾いている、
請求項１に記載のフィンチューブ型熱交換器。
【請求項５】
請求項４に記載のフィンチューブ型熱交換器と、
前記気流を生成する送風機と、
前記フィンチューブ型熱交換器と前記送風機とを収納する略直方体のケーシングと、
をさらに備え、
前記ケーシングは、その下面の中央に配置され、前記気流を前記ケーシング内に取り入れる吸込口と、その下面の前記吸込口の外側に配置され、前記ケーシング内から前記気流を放出する吹出口とを有し、
前記送風機は、前記ケーシングの中央に配置され、前記吸込口から取り入れた前記気流を前記吹出口から吹き出し、
前記フィンチューブ型熱交換器は、前記送風機の外側に配置され前記気流と熱交換する、
空気調和装置。
【請求項６】
前記複数の伝熱管は、第１伝熱管列と第２伝熱管列とを形成し、
前記第１伝熱管列と前記第２伝熱管列とは、逆Ｖ字型に配置され、
前記第１伝熱管列は、前記第１領域に含まれ、
前記第２伝熱管列は、前記第２領域に含まれる、
請求項１に記載のフィンチューブ型熱交換器。
【請求項７】
請求項６に記載のフィンチューブ型熱交換器と、
前記気流を生成する送風機と、
前記フィンチューブ型熱交換器と前記送風機とを収納し、壁に設置されるケーシングをさらに備え、
前記ケーシングは、その上部に配置され前記気流を前記ケーシング内に取り入れる吸込口と、その前面下部に配置され前記ケーシング内から前記気流を放出する吹出口とを有し、
前記送風機は、前記吸込口から取り入れた前記気流を、前記吹出口から吹き出すクロスフローファンであり、
前記フィンチューブ型熱交換器は、前記送風機をその上側から囲うように配置される、
空気調和装置。
【発明の詳細な説明】
【技術分野】
【０００１】
本発明は、フィンチューブ型熱交換器、特に、気流中に配置された伝熱フィンと、伝熱フィンに挿入されており気流の流れ方向に略直交する方向に配置された複数の伝熱管とを備えたフィンチューブ型熱交換器およびこのフィンチューブ型熱交換器を有する空気調和装置に関する。
【背景技術】
【０００２】
従来、フィンチューブ型熱交換器の熱交換効率を高める手法として、伝熱管の気流の流れ方向後側に気流を導くように切り起こしを配置するものが知られている（特許文献１参照）。
【特許文献１】特開２００７−１０２７９号公報
【発明の開示】
【発明が解決しようとする課題】
【０００３】
しかしながら、特許文献１に示される技術のように、伝熱フィン面上に切り起こし部（ウィングレット）を設置する手法では、気流の方向に対して一定の角度（迎え角）を持つことにより伝熱促進させているが、空気調和装置の熱交換器では形態によって必ずしも空気流の方向が熱交換器前面に対して垂直ではないため、従来のように全ての伝熱管に対して同じパターンの切り起こし部を設けたのでは十分な伝熱促進効果を得ることができない。
【０００４】
本発明の課題は、全ての切り起こしを有効に働かせて、大きな伝熱促進効果が得られるフィンチューブ型熱交換器を搭載した空気調和装置を提供することにある。
【課題を解決するための手段】
【０００５】
第１発明に係るフィンチューブ型熱交換器は、第１領域を第１方向に、第２領域を第１方向とは異なる第２方向に気流が通過するフィンチューブ型熱交換器であって、伝熱フィンと、伝熱管とを備える。伝熱フィンは、気流中に配置される。複数の伝熱管は、伝熱フィンに挿入されており、気流の流れ方向に交差する方向に伝熱管列を形成して配置される。伝熱フィンには、複数の第１切り起こし部と、複数の第２切り起こし部とが、切り起こし加工により形成されている。複数の第１切り起こし部は、第１領域における伝熱管の伝熱管列の列方向の両側で気流の流れ方向上流側から下流側に向かって真っ直ぐに並ぶ。また、複数の第２切り起こし部は、第２領域における伝熱管の伝熱管列の列方向の両側で気流の流れ方向上流側から下流側に向かって真っ直ぐに並ぶ。そして、複数の第１切り起こしを仮想的に結ぶ第１直線は、第１領域に属する第１伝熱管群近傍を流れる気流が第１伝熱管群の第１方向後側に案内されるように、第１方向に対して傾斜している。また、複数の第２切り起こしを仮想的に結ぶ第２直線は、第２領域に属する第２伝熱管群近傍を流れる気流が第２伝熱管群の第２方向後側に案内されるように、第２方向に対して傾斜している。
【０００６】
本発明では、第１領域と第２領域とで風向が異なる気流が流れている。そして、第１領域を第１方向に流れる気流を第１領域に属する第１伝熱管群の第１方向後側に導く第１切り起こしが形成され、第２領域を第２方向に流れる気流を第２領域に属する第２伝熱管群の第２方向後側に導く第２切り起こしが形成されている。すなわち、異なる方向別に各領域の伝熱管の気流の流れ方向後側に気流を導くように各切り起こし部を形成している。したがって、効率よく死水域を低減することができ、熱交換効率を向上させることができる。
【０００７】
第２発明に係るフィンチューブ型熱交換器は、第１発明に係るフィンチューブ型熱交換器であって、複数の伝熱管は、鉛直方向に並んで伝熱管列を形成している。第１領域は、鉛直方向上部および下部である。また、第２領域は、鉛直方向中央部である。そして、第１方向は、水平方向と平行である。また、第２方向は、第１方向から斜め上に第１角度傾いている。
【０００８】
本発明では、第１領域が伝熱管列の上部および下部に、第２領域が伝熱管列の中央部にある熱交換器である。そして、第２領域を通過する気流の流れ方向である第２方向は、第１方向から斜め上に第１角度傾いている。したがって、それぞれの領域において、効率よく死水域を低減することができ、熱交換効率を向上させることができる。
【０００９】
第３発明に係る空気調和装置は、フィンチューブ型熱交換器と、送風機と、ケーシングとを備える。フィンチューブ型熱交換器は、第２発明に係るフィンチューブ型熱交換器である。送風機は、気流を生成する。ケーシングは、フィンチューブ型熱交換器と送風機とを収納する略直方体のものである。また、ケーシングは、吸込口と吹出口とを有する。吸込口は、ケーシングの側面に配置され、気流をケーシング内に取り入れる。また、吹出口は、ケーシングの上面に配置され、ケーシング内から気流を放出する。フィンチューブ型熱交換器は、吸込口の内側に配置される。送風機は、吸込口から取り入れてフィンチューブ型熱交換器により熱交換された気流を吹出口から上側に吹き出す。
【００１０】
本発明では、第１領域が伝熱管列の上部および下部に、第２領域が伝熱管列の中央部にある熱交換器を備えている。そして、この熱交換器は、第２領域を通過する気流の流れ方向である第２方向は、第１方向から斜め上に第１角度傾いている。したがって、それぞれの領域において、効率よく死水域を低減することができ、熱交換効率を向上させることができる。このため、空気調和装置の消費エネルギーを削減することができる。
【００１１】
第４発明に係るフィンチューブ型熱交換器は、第１発明に係るフィンチューブ型熱交換器であって、複数の伝熱管は、鉛直方向に並んで伝熱管列を形成している。第１領域は、伝熱管列の列方向上部および下部である。また、第２領域は、伝熱管列の列方向中央部である。そして、第１方向は、水平方向と平行である。また、第２方向は、第１方向から斜め下に第２角度傾いている。
【００１２】
本発明では、第１領域が伝熱管列の上部および下部に、第２領域が伝熱管列の中央部にある。そして、第２領域を通過する気流の流れ方向である第２方向は、第１方向から斜め下に第２角度傾いている。したがって、それぞれの領域において、効率よく死水域を低減することができ、熱交換効率を向上させることができる。
【００１３】
第５発明に係る空気調和装置は、フィンチューブ型熱交換器と、送風機と、ケーシングとを備える。フィンチューブ型熱交換器は、第４発明に係るフィンチューブ型熱交換器である。送風機は、気流を生成する。ケーシングは、フィンチューブ型熱交換器と送風機とを収納する略直方体のものである。また、ケーシングは、吸込口と吹出口とを有する。吸込口は、ケーシングの下面の中央に配置され、気流をケーシング内に取り入れる。吹出口は、ケーシングの下面の吸込口の外側に配置され、ケーシング内から気流を放出する。送風機は、ケーシングの中央に配置され、吸込口から取り入れた気流を吹出口から吹き出す。フィンチューブ型熱交換器は、送風機の外側に配置され気流と熱交換する。
【００１４】
本発明では、第１領域が伝熱管列の上部および下部に、第２領域が伝熱管列の中央部にある。そして、第２領域を通過する気流の流れ方向である第２方向は、第１方向から斜め下に第２角度傾いている。例えば、このような空気調和装置に天井埋込型や天井吊下型の室内機がある。
【００１５】
したがって、天井埋込型の室内機などの空気調和装置において、そのフィンチューブ型熱交換器のそれぞれの領域において、効率よく死水域を低減することができ、熱交換効率を向上させることができる。
【００１６】
第６発明に係るフィンチューブ型熱交換器は、第１発明に係るフィンチューブ型熱交換器であって、複数の伝熱管は、第１伝熱管列と第２伝熱管列とを形成する。第１伝熱管列と第２伝熱管列とは、逆Ｖ字型に配置される。第１伝熱管列は、第１領域に含まれる。第２伝熱管列は、第２領域に含まれる。
【００１７】
本発明では、第１伝熱管列が第１領域に含まれ、第２伝熱管列が第２領域に含まれている。したがって、第１伝熱管列と第２伝熱管列とにおいて、効率よく死水域を低減することができ、熱交換効率を向上させることができる。
【００１８】
第７発明に係る空気調和装置は、フィンチューブ型熱交換器と、送風機と、ケーシングとを備える。フィンチューブ型熱交換器は、第６発明に係るフィンチューブ型熱交換器である。送風機は、気流を生成する。ケーシングは、フィンチューブ型熱交換器と送風機とを収納し、壁に設置される。また、ケーシングは、吸込口と、吹出口とを有する。吸込口は、ケーシングの上部に配置され、気流をケーシング内に取り入れる。吹出口は、ケーシングの前面下部に配置されケーシング内から気流を放出する。送風機は、吸込口から取り入れた気流を、吹出口から吹き出すクロスフローファンである。フィンチューブ型熱交換器は、逆Ｖ字型で、送風機をその上側から囲うように配置される。
【００１９】
本発明では、第１伝熱管列が第１領域に含まれ、第２伝熱管列が第２領域に含まれている。例えば、このような空気調和装置に壁掛型の室内機がある。したがって、壁掛型の室内機のような空気調和装置において、そのフィンチューブ型熱交換器の第１伝熱管列と第２伝熱管列とにおいて、効率よく死水域を低減することができ、熱交換効率を向上させることができる。
【発明の効果】
【００２０】
第１発明に係るフィンチューブ型熱交換器では、効率よく死水域を低減することができ、熱交換効率を向上させることができる。
【００２１】
第２発明に係るフィンチューブ型熱交換器では、それぞれの領域において、効率よく死水域を低減することができ、熱交換効率を向上させることができる。
【００２２】
第３発明に係るフィンチューブ型熱交換器では、それぞれの領域において、効率よく死水域を低減することができ、熱交換効率を向上させることができる。このため、空気調和装置の消費エネルギーを削減することができる。
【００２３】
第４発明に係るフィンチューブ型熱交換器では、それぞれの領域において、効率よく死水域を低減することができ、熱交換効率を向上させることができる。
【００２４】
第５発明に係るフィンチューブ型熱交換器では、天井埋込型の室内機などの空気調和装置において、そのフィンチューブ型熱交換器のそれぞれの領域において、効率よく死水域を低減することができ、熱交換効率を向上させることができる。
【００２５】
第６発明に係るフィンチューブ型熱交換器では、第１伝熱管列と第２伝熱管列とにおいて、効率よく死水域を低減することができ、熱交換効率を向上させることができる。
【００２６】
第７発明に係るフィンチューブ型熱交換器では、壁掛型の室内機のような空気調和装置において、そのフィンチューブ型熱交換器の第１伝熱管列と第２伝熱管列とにおいて、効率よく死水域を低減することができ、熱交換効率を向上させることができる。
【発明を実施するための最良の形態】
【００２７】
＜第１実施形態＞
以下、本発明にかかる空気調和装置の第１実施形態について、図面に基づいて説明する。
【００２８】
図１に本発明の第１実施形態に係る空気調和装置の斜視図を示す。また、図２に、図１の水平方向中央付近の内部構造を表す側面断面図を示す。
【００２９】
（１）上吹型室外機
空気調和装置１０は、後面および両側面の吸込口１２（後述参照）から空気を吸入して熱交換した後に上面の吹出口１３（後述参照）から熱交換後の空気を吹き出すタイプのいわゆる上吹型室外機であり、主として、室外機ケーシング１１と、室外機ケーシング１１の内部空間に収納されたフィンチューブ型熱交換器１と、室外機ケーシング１１の内部空間の上部に設けられた送風ファン４とを備えている。
【００３０】
室外機ケーシング１１は、略直方体形状であり、その後面および両側面に気流を取り入れる吸込口１２を有し、その上面に気流を吹き出す吹出口１３を有する。第１実施形態において、吸入口１２は、詳細は図示しないが、後面および両側面のほぼ全面に設けられた開口からなる。すなわち、吸入口１２は、前面を除く面に設けられた３つの開口からなる。また、第１実施形態において、吹出口１３は、上面の中央に設けられた開口からなり、開口の上部を覆うようにファングリル１４が設けられている。そして、室外機ケーシング１１内に吸入された空気は、吹出口１３から上方に向かって吹き出されるようになっている。
【００３１】
送風ファン４は、第１実施形態において、プロペラファンであり、室外機ケーシング１１の上部において、吹出口１３に対向するように配置されている。送風ファン４は、複数のプロペラ翼４１と、プロペラ翼４１の内周部を固定するハブ（図示せず）と、ハブを回転駆動するファンモータ４２とを有している。ファンモータ４２は、支持フレーム（図示せず）を介して、室外機ケーシング１１に固定されている。これにより、送風ファン４は、室外空気を、吸込口１２を通じて室外機ケーシング１１内に吸入して、フィンチューブ型熱交換器１に通過させた後に、室外機ケーシング１１の上部に導いて吹出口１３から吹き出すことが可能である。
【００３２】
フィンチューブ型熱交換器１は、第１実施形態において、上面視において略Ｕ字形状であり、吸込口１２に対向するように配置されている。そして、フィンチューブ型熱交換器１は、室内に設置される室内機（後述する第２実施形態および第３実施形態参照）に冷媒配管を介して接続されており、冷房運転時には内部を流れる冷媒の凝縮器として、暖房運転時には内部を流れる冷媒の蒸発器として機能できるようになっている。これにより、フィンチューブ型熱交換器１は、送風ファン４によって吸込口１２を通じて室外機ケーシング１１内に吸入された空気と熱交換を行って、冷房運転時には室外空気に放熱し、暖房運転時には室外空気から吸熱することができる。
【００３３】
この空気調和装置１０では、吸込口１２から取り入れる室外空気は、フィンチューブ型熱交換器１で熱交換される際に、フィンチューブ型熱交換器１の上部の第１領域Ｒ１および下部の第３領域Ｒ３においてはほぼ水平方向の第１方向Ｄ１に流れ、フィンチューブ型熱交換器１の中央部の第２領域Ｒ２においては第１方向Ｄ１より第１角θ１斜め上の第２方向Ｄ２に流れる。
【００３４】
（２）フィンチューブ型熱交換器の基本構成
図３〜図６にフィンチューブ型熱交換器１の要部を示す。ここで、図３は、フィンチューブ型熱交換器１の第１領域における断面図である。図４は、フィンチューブ型熱交換器１の第２領域Ｒ２における断面図である。図５は、図３のＩＶ−ＩＶ断面図である。図６は、図３のＶ−Ｖ断面図である。
【００３５】
フィンチューブ型熱交換器１は、クロスフィンアンドチューブ型熱交換器であり、主として、複数のプレート状の伝熱フィン２と、複数の伝熱管３とを備えている。伝熱フィン２は、その平面方向を空気等の気流の流れ方向に概ね沿わせた状態で、板厚方向に並んで配置されている。伝熱フィン２には、気流の流れ方向に略直交する方向に間隔を空けて複数の貫通孔２ａが形成されている。貫通孔２ａの周囲部分は、伝熱フィン２の板厚方向の一方側に突出する環状のカラー部２３となっている。カラー部２３は、板厚方向に隣り合う伝熱フィン２のカラー部２３が形成された面と反対の面に当接しており、各伝熱フィン２の板厚方向間に所定の間隔Ｈを確保している。伝熱管３は、内部に冷媒等の熱媒体が流れる管部材であり、板厚方向に並んで配置された複数の伝熱フィン２に挿入されており、気流の流れ方向に略直交する方向に配置されている。具体的には、伝熱管３は、伝熱フィン２に形成された貫通孔２ａを貫通しており、フィンチューブ型熱交換器１の組立時の拡管作業によって、カラー部２３の内面に密着している。
【００３６】
また、本実施形態のフィンチューブ型熱交換器１は、複数の伝熱管３の配列方向が略上下方向となるように設置された状態で使用されるものである。このため、気流は、フィンチューブ型熱交換器１を、鉛直方向に交差する方向（すなわち、第１方向Ｄ１または第２方向Ｄ２）に向かって横切るように流れることになる。なお、以下の説明において、「上側」、「上方」や「下側」、「下方」という文言を用いる場合には、伝熱管３の配列方向を示しているものとする。
【００３７】
（３）伝熱フィンの詳細形状
次に、本実施形態のフィンチューブ型熱交換器１の用いられている伝熱フィン２の詳細形状について説明する。
【００３８】
第１領域Ｒ１および第３領域Ｒ３における伝熱フィン２には、各伝熱管３の鉛直方向における両側（すなわち、各伝熱管３の下側および上側）において、気流の流れ方向上流側から下流側に向かって真っ直ぐに並ぶ複数（本実施形態では、下側に３つ、上側に３つ）の切り起こし部２１ａ〜２１ｆが、切り起こし加工により、伝熱フィン２面に形成されている（図３参照）。ここで、下側の切り起こし部を第１切り起こし部２１ａ〜２１ｃ、上側の切り起こし部を第２切り起こし部２１ｄ〜２１ｆとする。この第１切り起こし部２１ａ〜２１ｃを仮想的に結ぶ第１直線Ｌ１は、伝熱管３近傍の気流が伝熱管３の第１領域Ｒ１および第３領域Ｒ３における気流の流れ方向（第１方向Ｄ１）後側に案内されるように、第１方向Ｄ１と平行な第３直線Ｌ３に対して傾斜している。また、第２切り起こし部２１ｄ〜２１ｆを仮想的に結ぶ第２直線Ｌ２は、伝熱管３近傍の気流が伝熱管３の第１領域Ｒ１および第３領域Ｒ３における気流の流れ方向（第１方向Ｄ１）後側に案内されるように、第１方向Ｄ１と平行な第４直線Ｌ４に対して傾斜している。ここで、第１直線Ｌ１の第３直線Ｌ３に対する迎え角α１と、第２直線Ｌ２の第４直線Ｌ４に対する迎え角α２とは、１０°〜３０°の範囲内になるように設定されている。
【００３９】
また、第２領域Ｒ２における伝熱フィン２には、第１領域Ｒ１および第３領域Ｒ３における詳細形状と同様に、各伝熱管３の鉛直方向における両側（すなわち、各伝熱管３の下側および上側）において、気流の流れ方向上流側から下流側に向かって真っ直ぐに並ぶ複数（本実施形態では、下側に３つ、上側に３つ）の切り起こし部２５ａ〜２５ｆが、切り起こし加工により、伝熱フィン２面に形成されている（図４参照）。ここで、下側の切り起こし部を第３切り起こし部２５ａ〜２５ｃ、上側の切り起こし部を第４切り起こし部２５ｄ〜２５ｆとする。この第３切り起こし部２５ａ〜２５ｃを仮想的に結ぶ第５直線Ｌ５は、伝熱管３近傍の気流が伝熱管３の第２領域Ｒ２における気流の流れ方向（第２方向Ｄ２）後側に案内されるように、第２方向Ｄ２と平行な第７直線Ｌ７に対して傾斜している。また、第４切り起こし部２５ｄ〜２５ｆを仮想的に結ぶ第６直線Ｌ６は、伝熱管３近傍の気流が伝熱管３の第２領域Ｒ２における気流の流れ方向（第２方向Ｄ２）後側に案内されるように、第２方向Ｄ２と平行な第８直線Ｌ８に対して傾斜している。ここで、第５直線Ｌ５の第７直線Ｌ７に対する迎え角α３と、第６直線Ｌ６の第８直線Ｌ８に対する迎え角α４とは、１０°〜３０°の範囲内になるように設定されている。
【００４０】
このように第１切り起こし部２１ａ〜２１ｃおよび第２切り起こし部２１ｄ〜２１ｆは、第１領域Ｒ１および第３領域Ｒ３における伝熱管３近傍の気流が伝熱管３の気流の流れ方向（第１方向Ｄ１）後側に案内されるように第１方向Ｄ１に対して傾斜している。同様にして、第３切り起こし部２５ａ〜２５ｃおよび第４切り起こし部２５ｄ〜２５ｆは、第２領域Ｒ２における伝熱管３近傍の気流が伝熱管３の気流の流れ方向（第２方向Ｄ２）後側に案内されるように第２方向Ｄ２に対して傾斜している。このため、主として、切り起こし部２１ａ〜２１ｆ，２５ａ〜２５ｆのうち伝熱フィン２の気流の流れ方向Ｄ１，Ｄ２前側に配置された第１切り起こし部２１ａ、第２切り起こし部２１ｄ、第３切り起こし部２５ａ、および第４切り起こし部２５ｄによって境界層を更新する効果を確実に得ることができる。また、第１領域Ｒ１および第３領域Ｒ３においては、伝熱フィン２の気流の流れ方向（第１方向Ｄ１）後側に配置された第１切り起こし部２１ｃ、および第２切り起こし部２１ｆによって伝熱管３の気流の流れ方向（第１方向Ｄ１）によって伝熱管３の気流の流れ方向（第１方向Ｄ１）後側の部分に形成される死水域を低減する効果を得ることができ、第２領域Ｒ２においては、伝熱フィン２の気流の流れ方向（第２方向Ｄ２）後側に配置された第３切り起こし部２５ｃ、および第４切り起こし部２５ｆによって伝熱管３の気流の流れ方向（第２方向Ｄ２）によって伝熱管３の気流の流れ方向（第２方向Ｄ２）後側の部分に形成される死水域を低減する効果を得ることができる。
【００４１】
また、各切り起こし部２１ａ〜２１ｆ，２５ａ〜２５ｆは、気流の流れ方向下流側に向かって高さが漸増するように形成されている。本実施形態において、各切り起こし部２１ａ〜２１ｆ，２５ａ〜２５ｆは、略台形状または略三角形状であり（図６参照、図６は、第２切り起こし部２１ｄ〜２１ｆを示す図であるが、第１切り起こし部２１ａ〜２１ｃ、第３切り起こし部２５ａ〜２５ｃ、および第４切り起こし部２５ｄ〜２５ｆについても同様の形状を有する）、その最大高さｈがカラー部２３の高さＨよりも低くなるように形成されている（図５，図６参照）。
【００４２】
このように各伝熱管３の鉛直方向両側に形成された切り起こし部２１ａ〜２１ｆ，２５ａ〜２５ｆのそれぞれが気流の流れ方向上流側から下流側に向かう複数（本実施形態では、第１領域Ｒ１、第２領域Ｒ２、および第３領域Ｒ３の全てにおいて、上下で各３つずつ）の第１切り起こし部２１ａ〜２１ｃ、第２切り起こし部２１ｄ〜２１ｆ、第３切り起こし部２５ａ〜２５ｃ、および第４切り起こし部２５ｄ〜２５ｆに分割されている。このため、伝熱フィン２に発生したドレン水を第１切り起こし部２１ａ〜２１ｃの隙間、第２切り起こし部２１ｄ〜２１ｆの隙間、第３切り起こし部２５ａ〜２５ｃの隙間、および第４切り起こし部２５ｄ〜２５ｆの隙間から排出されやすくすることができる。これにより、伝熱フィン２に発生するドレン水の影響を受けることなく、切り起こし部２１ａ〜２１ｆ，２５ａ〜２５ｆによる伝熱促進効果を得ることができるようになる。
【００４３】
また、切り起こし部２１ａ〜２１ｆ，２５ａ〜２５ｆが切り起こされる際に伝熱フィン２に形成されるスリット孔２２ａ〜２２ｆ，２６ａ〜２６ｆは、各切り起こし部２１ａ〜２１ｆ，２５ａ〜２５ｆの上側に配置される。さらに、伝熱フィン２には、カラー部２３の周囲にカラー部２３と同心円形状の凹部２４が設けられている。この凹部２４は、図３に示すように断面がカラー部２３に外接する位置にカラー部２３とは逆の方向に伝熱フィン２を凹ませて形成されている。
【００４４】
このように、各切り起こし部２１ａ〜２１ｆ，２５ａ〜２５ｆは、伝熱フィン２を上部から下部に向かって切り起こして形成されている。このため、第１領域Ｒ１および第３領域Ｒ３では、特にドレン水が滞留しやすい伝熱管３と第１切り起こし部２１ａ〜２１ｃとの間に第１スリット孔２２ａ〜２２ｃが形成されることになり、伝熱管３と第１切り起こし部２１ａ〜２１ｃとの間にドレン水が滞留しにくくなる。また、第２領域Ｒ２では、第１領域Ｒ１および第３領域Ｒ３と同様に、特にドレン水が滞留しやすい伝熱管３と第３切り起こし部２５ａ〜２５ｃとの間に第３スリット孔２６ａ〜２６ｃが形成されることになり、伝熱管３と第３切り起こし部２５ａ〜２５ｃとの間にドレン水が滞留しにくくなる。このため、ドレン水は、伝熱フィン２から排出されやすくなる。また、伝熱フィン２における伝熱管３の周囲全体に凹部２４を形成している。したがって、この凹部２４にドレン水が一時的に滞留し、所定量以上のドレン水が滞留した後に流下し排出されることになる。このため、ドレン水を第１切り起こし部２１ａ〜２１ｃと伝熱管３との間、および第３切り起こし部２５ａ〜２５ｃと伝熱管３との間にあまり滞留させることなく、ドレン水を排出させることができる。
【００４５】
さらに、第１切り起こし部２１ａ〜２１ｃが気流の流れ方向（第１方向Ｄ１）上流側から下流側に向かって第１直線Ｌ１上を真っ直ぐ並ぶことによって、第１切り起こし部２１ａ〜２１ｃのうち伝熱フィン２の気流の流れ方向（第１方向Ｄ１）下流側に配置された第１切り起こし部２１ｃが気流の流れ方向（第１方向Ｄ１）上流側に配置された第１切り起こし部２１ａと同じ傾斜を有する。また、第２切り起こし部２１ｄ〜２１ｆが気流の流れ方向（第１方向Ｄ１）上流側から下流側に向かって第２直線Ｌ２上を真っ直ぐ並ぶことによって、第２切り起こし部２１ｄ〜２１ｆのうち伝熱フィン２の気流の流れ方向（第１方向Ｄ１）下流側に配置された第２切り起こし部２１ｆが気流の流れ方向（第１方向Ｄ１）上流側に配置された第２切り起こし部２１ｄと同じ傾斜を有する。また、第３切り起こし部２５ａ〜２５ｃが気流の流れ方向（第２方向Ｄ２）上流側から下流側に向かって第５直線Ｌ５上を真っ直ぐに並ぶことによって、第３切り起こし部２５ａ〜２５ｃのうち伝熱フィン２の気流の流れ方向（第２方向Ｄ２）下流側に配置された第３切り起こし部２５ｃが気流の流れ方向（第２方向Ｄ２）上流側に配置された第３切り起こし部２５ａと同じ傾斜を有する。また、第４切り起こし部２５ｄ〜２５ｆが気流の流れ方向（第２方向Ｄ２）上流側から下流側に向かって第６直線Ｌ６上を真っ直ぐに並ぶことによって、第４切り起こし部２５ｄ〜２５ｆのうち伝熱フィン２の気流の流れ方向（第２方向Ｄ２）下流側に配置された第４切り起こし部２５ｆが気流の流れ方向（第２方向Ｄ２）上流側に配置された第４切り起こし部２５ｄと同じ傾斜を有する。このため、伝熱管３の気流の流れ方向後側の部分に形成される死水域を低減するだけでなく、第１切り起こし部２１ｃ、第２切り起こし部２１ｆ、第３切り起こし２５ｃ、および第４切り起こし２５ｆの背後に新たな死水域が形成されるのを防ぐことができる。
【００４６】
以上のように、第１実施形態のフィンチューブ型熱交換器１では、伝熱フィン２に発生するドレン水の影響をあまり受けることなく、切り起こし部２１ａ〜２１ｆ，２５ａ〜２５ｆによる伝熱促進効果を得ることができるとともに、第１切り起こし部２１ｃ、第２切り起こし部２１ｆ、第３切り起こし２５ｃ、および第４切り起こし２５ｆの背後に新たな死水域が形成されるのを防ぐことができるため、切り起こし部２１ａ〜２１ｆ，２５ａ〜２５ｆによる伝熱促進効果と排水性とを両立させることができる。
【００４７】
また、このフィンチューブ型熱交換器１では、各切り起こし部２１ａ〜２１ｆ，２５ａ〜２５ｆの形状を気流の流れ方向下流側に向かって高さが漸増した形状にすることによって、各切り起こし部２１ａ〜２１ｆ，２５ａ〜２５ｆの背後に縦渦を生じさせることができるため、各切り起こし部２１ａ〜２１ｆ，２５ａ〜２５ｆによる伝熱促進効果をさらに高めることができる。
【００４８】
＜特徴＞
（１）
第１実施形態では、第１領域Ｒ１と第２領域Ｒ２とで風向が異なる気流が流れている。そして、第１領域Ｒ１を第１方向Ｄ１に流れる気流を第１領域Ｒ１に属する伝熱管３の第１方向Ｄ１後側に導く切り起こし２１ａ〜２１ｆが形成され、第２領域Ｒ２を第２方向Ｄ２に流れる気流を第２領域Ｒ２に属する伝熱管３の第２方向Ｄ２後側に導く切り起こし２５ａ〜２５ｆが形成されている。すなわち、異なる方向別（すなわち第１方向Ｄ１および第２方向Ｄ２別）に各領域Ｒ１，Ｒ２の伝熱管３の気流の流れ方向Ｄ１，Ｄ２後側に気流を導くように各切り起こし部２１ａ〜２１ｆ，２５ａ〜２５ｆを形成している。
【００４９】
したがって、フィンチューブ型熱交換器１内部を通過する気流がその領域Ｒ１，Ｒ２によって第１方向Ｄ１と第２方向Ｄ２とに流れる場合においても、各気流に応じてそれらの気流を伝熱管３の各気流の流れ方向Ｄ１，Ｄ２後側に案内することができる。このため、効率よく死水域を低減することができ、熱交換効率を向上させることができる。
【００５０】
（２）
第１実施形態では、このフィンチューブ型熱交換器１を空気調和装置１０に採用している。上吹出型室外機１０の室外機ケーシング１１内部では、上部の第１領域Ｒ１および下部の第３領域Ｒ３を流れる気流の方向（第１方向Ｄ１）と中央部の第２領域Ｒ２を流れる気流の方向（第２方向Ｄ２）とは異なる。
【００５１】
このため、このような鉛直方向によって気流の流れ方向が異なる空気調和装置１０に採用されるフィンチューブ型熱交換器１においても、効率よく死水域を低減することができ、熱交換効率を向上させることができる。
【００５２】
＜変形例＞
以上、本発明の実施形態について図面に基づいて説明したが、具体的な構成は、これらの実施形態に限られるものではなく、発明の要旨を逸脱しない範囲で変更可能である。
【００５３】
＜第２実施形態＞
以下、本発明にかかる空気調和装置の第２実施形態について、図面に基づいて説明する。
【００５４】
図７に本発明の第２実施形態に係る空気調和装置１０ａの斜視図を、図８に空気調和装置１０ａの水平方向中央付近の内部構造を表す断面図を示す。
【００５５】
（１）天井埋込型室内機
空気調和装置１０ａは、天井に設置されるいわゆる天井埋込型室内機であり、主として、フィンチューブ型熱交換器１ａと、送風ファン４ａと、フィンチューブ型熱交換器１ａおよび送風ファン４ａを収容する室内機ケーシング１１ａとを備えている。室内機ケーシング１１ａには、その下面の中央付近に気流を取り入れる吸込口１２ａが設けられている。また、室内機ケーシング１１ａには、その下面の吸込口１２ａの外周側に気流を吹き出す吹出口１３ａが設けられている（図６参照）。
【００５６】
送風ファン４ａは、第２実施形態において、ターボファンであり、室内機ケーシング１１ａの中央に設けられる。送風ファン４ａは、吸込口１２ａを室内の空気を通じて室内機ケーシング１１ａ内に吸入して外周方向に吹き出す。
【００５７】
フィンチューブ型熱交換器１ａは、第２実施形態において、送風ファン４ａの外周を囲む方に曲げられて形成されたクロスフィンチューブ型の熱交換器であり、屋外等に設置された室外機（例えば第１実施形態参照）に冷媒配管を介して接続されている。フィンチューブ型熱交換器１ａは、冷房運転時には内部を流れる冷媒の蒸発器として、暖房運転時には内部を流れる冷媒の凝縮器として機能できるようになっている。これにより、フィンチューブ型熱交換器１ａは、送風ファン４ａによって吸込口１２ａを通じて室内機ケーシング１１ａ内に吸入された空気と熱交換を行って、冷房運転時には空気を冷却し、暖房運転時には空気を加熱することができる。
【００５８】
この空気調和装置１０ａでは、吸込口１２ａから取り入れる気流は、フィンチューブ型熱交換器１ａで熱交換される際に、フィンチューブ型熱交換器１ａの上部の第１領域Ｒ１および下部の第３領域Ｒ３ではほぼ水平方向（送風ファン４ａの中心から外周に向かう方向）の第１方向Ｄ１に流れ、フィンチューブ型熱交換器の中央部の第２領域Ｒ２では第１方向Ｄ１より第２角θ２斜め下の第３方向Ｄ３に流れる（図７参照）。
【００５９】
（２）フィンチューブ型熱交換器の基本構成
以下、本発明に係るフィンチューブ型熱交換器の第２実施形態について、図面に基づいて説明する。
【００６０】
図８に本発明の第２実施形態に係るフィンチューブ型熱交換器１ａの要部を示す。ここで、図８は、第２領域Ｒ２におけるフィンチューブ型熱交換器１ａの断面図である。
【００６１】
第２実施形態に係るフィンチューブ型熱交換器１ａの基本構成自体は第１実施形態と同様であり、フィンチューブ型熱交換器１とフィンチューブ型熱交換器１ａとの違いは、第２領域Ｒ２における伝熱フィンの形状が異なることのみである。このため、第２実施形態のフィンチューブ型熱交換器１ａの基本構成の説明を省略する。
【００６２】
（３）伝熱フィンの詳細形状
次に、第２実施形態のフィンチューブ型熱交換器１ａに用いられている伝熱フィン５の第２領域Ｒ２における詳細形状について説明する。伝熱フィン５の第１領域Ｒ１および第３領域Ｒ３における詳細形状については、第１実施形態のフィンチューブ型熱交換器１に用いられている伝熱フィン５と同様であり、伝熱フィン５における番号表記は、第１実施形態に係る伝熱フィン２の２番台を５番台に、２０番台を５０番台に置き換えたものである。このため、第１領域Ｒ１および第３領域Ｒ３における伝熱フィン５の詳細形状の説明は省略する。
【００６３】
第２領域Ｒ２における伝熱フィン５には、第１領域Ｒ１および第３領域Ｒ３における詳細形状と同様に、各伝熱管３ａの鉛直方向における両側（すなわち、各伝熱管３ａの下側および上側）において、気流の流れ方向上流側から下流側に向かって真っ直ぐに並ぶ複数（本実施形態では、下側に３つ、上側に３つ）の切り起こし部５５ａ〜５５ｆが、切り起こし加工により、伝熱フィン面５ｂに形成されている。ここで、下側の切り起こし部を第３切り起こし部５５ａ〜５５ｃ、上側の切り起こし部を第４切り起こし部５５ｄ〜５５ｆとする。この第３切り起こし部５５ａ〜５５ｃを仮想的に結ぶ第９直線Ｌ９は、伝熱管３ａ近傍の気流が伝熱管３ａの第２領域Ｒ２における気流の流れ方向（第３方向Ｄ３）後側に案内されるように、第３方向Ｄ３と平行な第１１直線Ｌ１１に対して傾斜している。また、第４切り起こし部５５ｄ〜５５ｆを仮想的に結ぶ第１０直線Ｌ１０は、伝熱管３ａ近傍の気流が伝熱管３ａの第２領域Ｒ２における気流の流れ方向（第３方向Ｄ３）後側に案内されるように、第３方向Ｄ３と平行な第１２直線Ｌ１２に対して傾斜している。ここで、第９直線Ｌ９の第１１直線Ｌ１１に対する迎え角β１と、第１０直線Ｌ１０の第１２直線Ｌ１２に対する迎え角β２とは、１０°〜３０°の範囲内になるように設定されている。
【００６４】
このように、第３切り起こし部５５ａ〜５５ｃおよび第４切り起こし部５５ｄ〜５５ｆは、第２領域Ｒ２における伝熱管３ａ近傍の気流が伝熱管３ａの気流の流れ方向（第３方向Ｄ３）後側に案内されるように第３方向Ｄ３に対して傾斜している。このため、主として、切り起こし部５５ａ〜５５ｆのうち伝熱フィン５の気流の流れ方向（第３方向Ｄ３）前側に配置された第３切り起こし部５５ａおよび第４切り起こし部５５ｄによって境界層を更新する効果を確実に得ることができる。また、切り起こし部５５ａ〜５５ｆのうち伝熱フィン５の気流の流れ方向（第３方向Ｄ３）後側に配置された第３切り起こし部５５ｃおよび第４切り起こし部５５ｆによって伝熱管３ａの第３方向Ｄ３後側の部分に形成される死水域を低減する効果を得ることができる。
【００６５】
＜第２実施形態の特徴＞
第２実施形態では、このフィンチューブ型熱交換器１ａを天井埋込型１０ａに採用している。空気調和装置１０ａの室内機ケーシング１１ａ内部では、上部および下部を流れる気流の方向（第１方向Ｄ１）と中央部を流れる気流の方向（第３方向Ｄ３）とは異なる。
【００６６】
このため、このような高さ方向によって気流の流れ方向が異なる空気調和装置に採用されるフィンチューブ型熱交換器１ａにおいても、効率よく死水域を低減することができ、熱交換効率を向上させることができる。
【００６７】
＜変形例＞
以上、本発明の実施形態について図面に基づいて説明したが、具体的な構成は、これらの実施形態に限られるものではなく、発明の要旨を逸脱しない範囲で変更可能である。
【００６８】
＜第３実施形態＞
以下、本発明にかかる空気調和装置の第３実施形態について、図面に基づいて説明する。
【００６９】
（１）壁掛型室内機
図１０に本発明の第３実施形態に係る空気調和装置１０ａの斜視図を示す。なお、以下の説明において、空気調和装置１０ｂに関する方向や位置を示す場合には、空気調和装置１０ｂが室内の壁面に装着された状態を基準として示すものとする。そして、空気調和装置１０ｂの壁面に装着される部分を空気調和装置１０ｂ（すなわち、室内機ケーシング１１ｂ）の背面とし、背面に対向して室内に突出する面を前面（又は正面）とし、前面および背面の横側の面を側面（より具体的には、正面から見て右側の面を右側面、正面から見て左側の面を左側面）とし、前面および背面の上側の面を天面とし、前面および背面の下側の面を底面とする。
【００７０】
空気調和装置１０ｂは、室内の壁面の上部に装着される壁掛型室内機であり、室内の冷暖房等を行う機能を有している。空気調和装置１０ｂは、主として、フィンチューブ型熱交換器１ｂと、送風ファン４ｂと、フィンチューブ型熱交換器１ｂおよび送風ファン４ｂを収容する室内機ケーシング１１ｂとを備えている。
【００７１】
室内機ケーシング１１ｂは、正面視において水平方向に長い直方体形状を有しており、図１１に示されるように、主として、送風ファン４ｂと、フィンチューブ型熱交換器１ｂとを収容している。室内機ケーシング１１ｂには、吸入口１２ｂと、吹出口１３ｂとが設けられている。ここで、図１１は、空気調和装置１０ｂの水平方向中央付近の内部構造を示す側面断面図である。吹出口１３ｂは、室内機ケーシング１１ｂ内から室内へと吹き出される空気が通る開口であり、室内機ケーシング１１ｂの底面の前側部分に設けられる。吸入口１２ｂは、室内から室内機ケーシング１１ｂ内へと取り込まれる空気が通る開口であり、室内機ケーシング１１ｂの天面に設けられている。
【００７２】
送風ファン４ｂは、水平方向に細長い円筒形状に構成され、中心軸が水平方向に平行になるように配置されたクロスフローファンである。送風ファン４ｂの周面には、複数の翼が設けられている。送風ファン４ｂは、図示しないファンモータによって中心軸周りに回転駆動され、吸入口１２ｂを通じて室内の空気を室内機ケーシング１１ｂ内に取り込み、フィンチューブ型熱交換器１ｂを通過させた後に、室内機ケーシング１３ｂ内から室内へ吹き出す空気の流れを、吹出口１３ｂから生じさせる。送風ファン４ｂは、側面視において室内機ケーシング１１ｂの概ね中央に配置されている。
【００７３】
フィンチューブ型熱交換器１ｂは、第３実施形態において、複数の伝熱管３ｂを逆Ｖ字型に並べて形成されたクロスフィンチューブ型の熱交換器であり、送風ファン４ｂを上側から囲うように配置される。ここで、複数の伝熱管３ｂは、室内機ケーシング１１ｂ内の前面側に第１列伝熱管群Ｇ１を形成し、背面側に第２列伝熱管群Ｇ２を形成する。第１列伝熱管群Ｇ１は、その列方向（第６方向Ｄ６）が鉛直方向に平行な第４方向Ｄ４から上部を基点に第４角θ４傾いて配列されており、第２列伝熱管群Ｇ２は、その列方向（第８方向Ｄ８）が第４方向Ｄ４から上部を基点に背面方向に第６角θ６傾いている。そして、フィンチューブ型熱交換器１ｂは、屋外等に設置された室外機（例えば第１実施形態参照）に冷媒配管を介して接続されている。フィンチューブ型熱交換器１ｂは、冷房運転時には内部を流れる冷媒の蒸発器として、暖房運転時には内部を流れる冷媒の凝縮器として機能できるようになっている。これにより、フィンチューブ型熱交換器１ｂは、送風ファン４ｂによって吸込口１２ｂを通じて室内機ケーシング１１ｂ内に吸入された空気と熱交換を行って、冷房運転時には空気を冷却し、暖房運転時には空気を加熱することができる。
【００７４】
この空気調和装置１０ｂでは、吸込口１２ｂから取り入れる気流は、フィンチューブ型熱交換器１ｂで熱交換される際に、第１列伝熱管群Ｇ１を含む第１領域Ｒ１では第４方向Ｄ４より背面側に第３角θ３傾いた第５方向Ｄ５に流れ、第２列伝熱管群Ｇ２を含む第２領域Ｒ２では第４方向Ｄ４より前側に第５角θ５傾いた第７方向Ｄ７に流れる（図１１参照）。
【００７５】
（２）フィンチューブ型熱交換器の基本構成
以下、本発明に係るフィンチューブ型熱交換器の第３実施形態について、図面に基づいて説明する。
【００７６】
図１２および図１３に本発明の第３実施形態に係るフィンチューブ型熱交換器１ｂの要部を示す。ここで、図１２は、第１領域Ｒ１におけるフィンチューブ型熱交換器１ｂの断面図であり、図１３は、第２領域Ｒ２におけるフィンチューブ型熱交換器１ｂの断面図である。
【００７７】
第３実施形態に係るフィンチューブ型熱交換器１ｂの基本構成自体は第１実施形態と同様であり、フィンチューブ型熱交換器１とフィンチューブ型熱交換器１ｂとの違いは、伝熱フィンの形状が異なることのみである。このため、第３実施形態のフィンチューブ型熱交換器１ｂの基本構成の説明を省略する。ここで、第３実施形態に係るフィンチューブ型熱交換器１ａの伝熱フィン６は、第１実施形態のフィンチューブ型熱交換器１の伝熱フィン２に対応する。なお、伝熱フィン６における番号表記は、第１実施形態に係る伝熱フィン２の２番台を６番台に、２０番台を６０番台に置き換えたものである。
【００７８】
（３）伝熱フィンの詳細形状
次に、第３実施形態のフィンチューブ型熱交換器１ｂに用いられている伝熱フィン６の詳細形状について説明する。
【００７９】
第１領域Ｒ１における伝熱フィン６には、第１列伝熱管群Ｇ１に属する伝熱管３ｂの列方向（第６方向Ｄ６）における両側（すなわち、各伝熱管３ｂの中心軸を通り第６方向Ｄ６に垂直な第１３直線Ｌ１３の下側および上側）において、気流の流れ方向上流側から下流側に向かって真っ直ぐに並ぶ複数（本実施形態では、下側に３つ、上側に３つ）の切り起こし部６１ａ〜６１ｆが、切り起こし加工により、伝熱フィン６面に形成されている（図１２参照）。ここで、第１３直線Ｌ１３下側の切り起こし部を第１切り起こし部６１ａ〜６１ｃ、第１３直線Ｌ１３上側の切り起こし部を第２切り起こし部６１ｄ〜６１ｆとする。この第１切り起こし部６１ａ〜６１ｃを仮想的に結ぶ第１４直線Ｌ１４は、第１列伝熱管群Ｇ１に属する伝熱管３ｂ近傍の気流が第１列伝熱管群Ｇ１に属する伝熱管３ｂの第１領域Ｒ１における気流の流れ方向（第５方向Ｄ５）後側に案内されるように、第５方向Ｄ５と平行な第１６直線Ｌ１６に対して傾斜している。また、第２切り起こし部６１ｄ〜６１ｆを仮想的に結ぶ第１５直線Ｌ１５は、第１列伝熱管群Ｇ１に属する伝熱管３ｂ近傍の気流が第１列伝熱管群Ｇ１に属する伝熱管３ｂの第１領域Ｒ１における気流の流れ方向（第５方向Ｄ５）後側に案内されるように、第５方向Ｄ５と平行な第１７直線Ｌ１７に対して傾斜している。ここで、第１４直線Ｌ１４の第１６直線Ｌ１６に対する迎え角γ１と、第１５直線Ｌ１５の第１７直線Ｌ１７に対する迎え角γ２とは、１０°〜３０°の範囲内になるように設定されている。
【００８０】
また、第２領域Ｒ２における伝熱フィン２には、第１領域Ｒ１における詳細形状と同様に、第２列伝熱管群Ｇ２に属する伝熱管３ｂの列方向（第８方向Ｄ８）における両側（すなわち、各伝熱管３ｂの中心軸を通り第８方向Ｄ８に垂直な第１８直線Ｌ１８の下側および上側）において、気流の流れ方向上流側から下流側に向かって真っ直ぐに並ぶ複数（本実施形態では、下側に３つ、上側に３つ）の切り起こし部６５ａ〜６５ｆが、切り起こし加工により、伝熱フィン６面に形成されている（図１３参照）。ここで、第１８直線Ｌ１８下側の切り起こし部を第３切り起こし部６５ａ〜６５ｃ、第１８直線Ｌ１８上側の切り起こし部を第４切り起こし部６５ｄ〜６５ｆとする。この第３切り起こし部６５ａ〜６５ｃを仮想的に結ぶ第Ｌ１９直線Ｌ１９は、第２列伝熱管群Ｇ２に属する伝熱管３ｂ近傍の気流が第２列伝熱管群Ｇ２に属する伝熱管３ｂの第２領域Ｒ２における気流の流れ方向（第７方向Ｄ７）後側に案内されるように、第７方向Ｄ７と平行な第２１直線Ｌ２１に対して傾斜している。また、第４切り起こし部６５ｄ〜６５ｆを仮想的に結ぶ第２０直線Ｌ２０は、第２列伝熱管群Ｇ２に属する伝熱管３ｂ近傍の気流が第２列伝熱管群Ｇ２に属する伝熱管３ｂの第２領域Ｒ２における気流の流れ方向（第７方向Ｄ７）後側に案内されるように、第７方向Ｄ７に平行な第２２直線Ｌ２２に対して傾斜している。ここで、第１９直線Ｌ１９の第２１直線Ｌ２１に対する迎え角γ３と、第２０直線Ｌ２０の第２２直線Ｌ２２に対する迎え角γ４とは、１０°〜３０°の範囲内になるように設定されている。
【００８１】
このように第１切り起こし部６１ａ〜６１ｃおよび第２切り起こし部６１ｄ〜６１ｆは、第１領域Ｒ１における伝熱管３ｂ近傍の気流が伝熱管３ｂの気流の流れ方向（第５方向Ｄ５）後側に案内されるように第５方向Ｄ５に対して傾斜している。同様にして、第３切り起こし部６５ａ〜６５ｃおよび第４切り起こし部６５ｄ〜６５ｆは、第２領域Ｒ２における伝熱管３ｂ近傍の気流が伝熱管３ｂの気流の流れ方向（第７方向Ｄ７）後側に案内されるように第７方向Ｄ７に対して傾斜している。このため、主として、切り起こし部６１ａ〜６１ｆ，６５ａ〜６５ｆのうち伝熱フィン６の気流の流れ方向Ｄ５，Ｄ７前側に配置された第１切り起こし部６１ａ、第２切り起こし部６１ｄ、第３切り起こし部６５ａ、および第４切り起こし部６５ｄによって境界層を更新する効果を確実に得ることができる。また、第１領域Ｒ１においては、伝熱フィン６の気流の流れ方向（第５方向Ｄ５）後側に配置された第１切り起こし部６１ｃ、および第２切り起こし部６１ｆによって伝熱管３ｂの気流の流れ方向（第５方向Ｄ５）によって伝熱管３ｂの気流の流れ方向（第５方向Ｄ５）後側の部分に形成される死水域を低減する効果を得ることができ、第２領域Ｒ２においては、伝熱フィン６の気流の流れ方向（第７方向Ｄ７）後側に配置された第３切り起こし部６５ｃ、および第４切り起こし部６５ｆによって伝熱管３ｂの気流の流れ方向（第７方向Ｄ７）によって伝熱管３ｂの気流の流れ方向（第７方向Ｄ７）後側の部分に形成される死水域を低減する効果を得ることができる。
【００８２】
＜第３実施形態の特徴＞
第３実施形態では、このフィンチューブ型熱交換器１ｂを空気調和装置１０ｂに採用している。空気調和装置１０ｂの室内機ケーシング１１ｂ内部では、第１領域Ｒ１を流れる気流の方向（第５方向Ｄ５）と第２領域Ｒ２を流れる気流の方向（第７方向Ｄ７）とは異なる。
【００８３】
このため、このような前面側と背面側とによって気流の流れ方向が異なる空気調和装置１０ｂに採用されるフィンチューブ型熱交換器１ｂにおいても、効率よく死水域を低減することができ、熱交換効率を向上させることができる。
【００８４】
＜変形例＞
以上、本発明の実施形態について図面に基づいて説明したが、具体的な構成は、これらの実施形態に限られるものではなく、発明の要旨を逸脱しない範囲で変更可能である。
【産業上の利用可能性】
【００８５】
本発明に係るフィンチューブ型熱交換器は、ドレン水を排出させやすくして伝熱効果を効果的に得ることができ、フィンチューブ型熱交換器、特に、気流中に配置された伝熱フィンと、伝熱フィンに挿入されており気流の流れ方向に略直交する方向に配置された複数の伝熱管とを備えたフィンチューブ型熱交換器およびこのフィンチューブ型熱交換器を有する空気調和装置等として有用である。
【図面の簡単な説明】
【００８６】
【図１】第１実施形態に係る空気調和装置の外観斜視図。
【図２】図１の水平方向中央付近の内部構造を示す側面断面図。
【図３】フィンチューブ型熱交換器の第１領域および第３領域Ｒ３における断面図。
【図４】フィンチューブ型熱交換器の第２領域における断面図。
【図５】図３のＶ−Ｖ断面図。
【図６】図３のＶＩ−ＶＩ断面図。
【図７】第２実施形態に係る空気調和装置の外観斜視図。
【図８】図７の水平方向中央付近の内部構造を示す側面断面図。
【図９】フィンチューブ型熱交換器の第２領域における断面図。
【図１０】第３実施形態に係る空気調和装置の外観斜視図。
【図１１】図１０の水平方向中央付近の内部構造を示す側面断面図。
【図１２】フィンチューブ型熱交換器の第１領域における断面図。
【図１３】フィンチューブ型熱交換器の第２領域における断面図。
【符号の説明】
【００８７】
１，１ａ，１ｂ  フィンチューブ型熱交換器
２，５，６      伝熱フィン
３              伝熱管
４              送風ファン（送風機）
２１ａ〜２１ｃ  第１切り起こし部（第１切り起こし部）
２１ｄ〜２１ｆ  第２切り起こし部（第１切り起こし部）
２５ａ〜２５ｃ  第３切り起こし部（第２切り起こし部）
２５ｄ〜２５ｆ  第４切り起こし部（第２切り起こし部）
Ｄ１        第１方向
Ｄ２        第２方向
Ｌ１        第１直線（第１直線）
Ｌ２        第２直線（第１直線）
Ｌ５        第５直線（第２直線）
Ｌ６        第６直線（第２直線）
Ｒ１        第１領域
Ｒ２        第２領域
【図１】
2008232448.tif 000003
【図２】
2008232448.tif 000004
【図３】
2008232448.tif 000005
【図４】
2008232448.tif 000006
【図５】
2008232448.tif 000007
【図６】
2008232448.tif 000008
【図７】
2008232448.tif 000009
【図８】
2008232448.tif 000010
【図９】
2008232448.tif 000011
【図１０】
2008232448.tif 000012
【図１１】
2008232448.tif 000013
【図１２】
2008232448.tif 000014
【図１３】
2008232448.tif 000015